(57)【要約】      （修正有）【課題】  簡単な構造で、例えば、パネル基材等に貼付する作業が楽にでき、和紙の風合いを持ちかつ意匠感を良好に保持でき、破損時に容易に修復でき、廃棄に際しても安全かつ簡単に処分できる、室内装飾材とその形成方法を提供すること。【解決手段】  室内装飾材は、パネル基材の上面に内装材用加飾パーツ５の複数を、互いに隣接する支持材プレートの端縁の間が当接または密接するように配置された状態で、前記パネル基材の上面に貼り合わされており、さらに、加飾和紙シートの重ね合わせ部を接着剤で接合する工程を繰り返すことによって形成されたものであり、前記内装材用加飾パーツ５は、矩形状の支持材プレート１と、該支持材プレート１の上面に接着された矩形状の加飾和紙シート３と、下面全面に塗布された図示しない接着剤とから構成されており、加飾和紙シート３は支持材プレート１各辺より巾３〜１０ｍｍ程度外方にはみ出すフランジ部分３ａが備えられる。【選択図】  図２
2007261003.tif 000002
【特許請求の範囲】
【請求項１】
矩形状の支持材プレートと、該支持材プレートの各辺より３〜１０ｍｍの巾で外方にはみ出すフランジ部分が形成され前記支持材プレートの上面に接着された矩形状の加飾和紙シートとからなる複数の内装材用加飾パーツを、パネル基材上に、互いに隣接する支持材プレートの端縁間を当接または密接するように配置し、当該内装材用加飾パーツを接合する室内装飾材の形成方法であって、
内装材用加飾パーツの一辺を構成するフランジ部分を、該内装材用加飾パーツと左右で対峙する内装材用加飾パーツの支持材プレートの下方に配置し、前記加飾和紙シートのフランジ部分を、対峙する内装材用加飾パーツの加飾和紙シートの上面に配置し、加飾和紙シートの重ね合わせ部を接着剤で接合する工程を繰り返すことによって、内装材用加飾パーツを長尺の帯状に貼りつなぐ過程を有することを特徴とする室内装飾材の形成方法。
【請求項２】
請求項１記載の室内装飾材の形成方法によって形成された長尺の帯状の当初室内装飾材に対して、当該内装材用加飾パーツと上下で対峙する内装材用加飾パーツを、互いに隣接する支持材プレートの端縁の間を当接または密接するように配置するとともに、加飾和紙シートの重ね合せ部を接着剤で接着する工程を繰り返すことによって、当初室内装飾材に、内装材用加飾パーツを新たに貼りつなぐ過程をさらに有することを特徴とする請求項１に記載の室内装飾材の形成方法。
【請求項３】
矩形状の支持材プレートと、該支持材プレートの各辺より３〜１０ｍｍの巾で外方にはみ出すフランジ部分が形成され前記支持材プレートの上面に接着された矩形状の加飾和紙シートとからなる内装材用加飾パーツの複数と、パネル基材とからなる室内装飾材であって、
前記パネル基材の上面に、互いに隣接する内装材用加飾パーツの支持材プレート端縁の間が当接または密接するように配置され、当該加飾和紙シートの重ね合せ部が接着剤にて接着されていることを特徴とする室内装飾材。
【請求項４】
パネル基材上において、互いに隣接する当該内装材用加飾パーツの支持材の端縁の間が当接または密接するように配置され、当該加飾和紙シートの重ね合せ部を接着剤にて接着される内装材用加飾パーツであって、
矩形状の支持材プレートと、該支持材プレートの各辺より３〜１０ｍｍの巾で外方にはみ出すフランジ部分を有し、前記支持材プレートの上面に接着された矩形状の加飾和紙シートとを含み構成されていることを特徴とする内装材用加飾パーツ。
【請求項５】
前記内装材用加飾パーツの裏面側全面に水溶性糊材が備えられていることを特徴とする請求項４に記載の内装材用加飾パーツ。
【請求項６】
前記内装材用加飾パーツにおいて、前記加飾和紙シートの連続する二辺のフランジ部分が切り取られ、支持材プレートの端縁に一致させてあることを特徴とする請求項４または５に記載の内装材用加飾パーツ。
【発明の詳細な説明】
【技術分野】
【０００１】
本発明は特には、室内装飾材と該室内装飾材の形成方法に関するものであり、より詳しくは、施工が簡単で和紙の風合いを持ち、破損時に容易に修復でき、廃棄に際しても安全かつ簡単に処分できる、室内装飾材とその形成方法に関するものである。
【背景技術】
【０００２】
建築物の室内装飾等のために、例えば壁紙が壁に貼られるが、建築物内壁には室内の湿気により、結露が生じたり、カビやダニも発生しやすい。結露やカビ、ダニの発生により、壁紙の美観が損われたり、あるいは壁板が腐ったりしやすいとともに、アレルギー等の原因にもなりやすく健康を害しやすい。そこで、従来では、カビの発生等を防止するために、例えば、防カビ剤、防虫剤を壁紙に塗布したり、あるいは、ホルマリン等の防カビ剤等を混合した接着剤や、例えば、特許文献１に開示されている壁紙貼付用糊のような、酢酸ビニル樹脂エマルジョン等を含む有機溶剤接着剤等を介して壁紙を壁に貼付することが多い。
【０００３】
【特許文献１】特開平１０−２２６７７５号公報
【発明の開示】
【発明が解決しようとする課題】
【０００４】
しかしながら、上記従来の壁紙や従来の接着剤、あるいは特許文献１等の壁紙貼付用糊、その他の有機溶剤系接着剤等には、ホルムアルデヒド、酢酸ビニルやスチレン、ベンゼンまたはトルエン、キシレン等に代表される有害な揮発性有機化合物を含んでおり、防カビ、防ダニ効果等が期待できるものの、一方では、有害な揮発性化合物によって人体へ悪影響を与えたり、いわゆるシックハウス症候群やその他のアレルギー症状等を発症する恐れがあった。
【０００５】
一方、例えば内装材として壁紙を使用する場合、壁紙が貼られる壁面は、例えば、木製ボード等を壁板として張った際にボードの継ぎ目の段差が生じたり、木製ボードを胴縁材等に固定するための釘の回りのボードの表面に凹凸が形成されているため、予め壁の表面を滑らかにするためにパテ処理等の下地処理が行われる。この下地処理は、壁紙を壁板に貼った際に壁板表面の凹凸が壁紙表面に表れることによって壁紙の仕上げ状態が粗悪になるのを防止するために必要な作業であり、多くの時間と労力を費やすことだけでなく、凹凸を埋めるためのパテ処理によりかえってパテによる段差が形成されることがもあるため、高度な技能が要求される作業であった。
【０００６】
また、壁紙はその装飾模様等による美観等を重視して壁に貼付されていることも多いが、例えば、室内に置かれた収納棚等との模様や色彩の組合せ等の良し悪しによって美観が損なわれる場合もあった。
【０００７】
本発明は上記従来の課題に鑑みてなされたものであり、その目的は、簡単な構造で、例えば、パネル基材等に貼付する作業が楽にでき、和紙の風合いを持ちかつ意匠感を良好に保持でき、破損時に容易に修復でき、廃棄に際しても安全かつ簡単に処分できる、室内装飾材とその形成方法を提供するにある。
【課題を解決するための手段】
【０００８】
上記課題を解決するために本発明が採用した手段は、請求項１の発明は、矩形状の支持材プレートと、該支持材プレートの各辺より３〜１０ｍｍの巾で外方にはみ出すフランジ部分が形成され前記支持材プレートの上面に接着された矩形状の加飾和紙シートとからなる複数の内装材用加飾パーツを、パネル基材上に、互いに隣接する支持材プレートの端縁間を当接または密接するように配置し、当該内装材用加飾パーツを接合する室内装飾材の形成方法であって、
内装材用加飾パーツの一辺を構成するフランジ部分を、該内装材用加飾パーツと左右で対峙する内装材用加飾パーツの支持材プレートの下方に配置し、前記加飾和紙シートのフランジ部分を、対峙する内装材用加飾パーツの加飾和紙シートの上面に配置し、加飾和紙シートの重ね合わせ部を接着剤で接合する工程を繰り返すことによって、内装材用加飾パーツを長尺の帯状に貼りつなぐ過程を有するものを、その要旨とする。
【０００９】
請求項２の発明は、請求項１記載の室内装飾材の形成方法によって形成された長尺の帯状の当初室内装飾材に対して、当該内装材用加飾パーツと上下で対峙する内装材用加飾パーツを、互いに隣接する支持材プレートの端縁の間を当接または密接するように配置するとともに、加飾和紙シートの重ね合せ部を接着剤で接着する工程を繰り返すことによって、当初室内装飾材に、内装材用加飾パーツを新たに貼りつなぐ過程をさらに有するものを、その要旨とする。
【００１０】
つぎに、請求項３の発明は、矩形状の支持材プレートと、該支持材プレートの各辺より３〜１０ｍｍの巾で外方にはみ出すフランジ部分が形成され前記支持材プレートの上面に接着された矩形状の加飾和紙シートとからなる内装材用加飾パーツの複数と、パネル基材とからなる室内装飾材であって、
前記パネル基材の上面に、互いに隣接する内装材用加飾パーツの支持材プレート端縁の間が当接または密接するように配置され、当該加飾和紙シートの重ね合せ部が接着剤にて接着されているものを、その要旨とする。
【００１１】
つぎに、請求項４の発明は、パネル基材上において、互いに隣接する当該内装材用加飾パーツの支持材の端縁の間が当接または密接するように配置され、当該加飾和紙シートの重ね合せ部を接着剤にて接着される内装材用加飾パーツであって、
矩形状の支持材プレートと、該支持材プレートの各辺より３〜１０ｍｍの巾で外方にはみ出すフランジ部分を有し、前記支持材プレートの上面に接着された矩形状の加飾和紙シートとを含み構成されているものを、その要旨とする。
【００１２】
請求項５の発明は、請求項４に記載の内装材用加飾パーツにおいて、前記内装材用加飾パーツの裏面側全面に水溶性糊材が備えられているものを、その要旨とする。
【００１３】
請求項６の発明は、請求項４または５に記載の内装材用加飾パーツにおいて、前記加飾和紙シートの連続する二辺のフランジ部分が切り取られ、支持材プレートの端縁に一致させてあるものを、その要旨とする。
【発明の効果】
【００１４】
本発明に係る特には内装材用加飾パーツは構造が簡単で容易に形成でき、例えばパネル基材等に貼付する作業が楽にでき、そして、得られる室内装飾材はその外観、手触りなどが和紙の風合いを持ちかつ意匠感を良好に保持でき、破損しても破損部分のみを簡単かつ容易に貼り替えまたは取り替え修復でき、さらに、廃棄に際しても安全かつ簡単に処分できるなど極めて実効性に優れた作用効果が得られる。
【００１５】
特に、請求項１，２の発明に係る室内装飾材の形成方法によると、互いに隣接する内装材用加飾パーツのフランジ部分を、互いに対峙する支持材の端縁間が当接または密接するように配置され、そして、加飾和紙シートの重ね合せ部を接着剤で接着する工程を繰り返すことによって、複数の内装材用加飾パーツが縦横に貼りつながれるため、例えばベニヤ板製のパネル基材や壁板等に、内装材用加飾パーツを張った際に、内装材用加飾パーツの支持材間の継ぎ目に段差が生じたり、あるいは、木製ボードを胴縁材等に固定するための釘の回りのボードの表面に凹凸が形成されていても、従来のように予め壁の表面を滑らかにするためのパテ処理等の下地処理を行う必要もない。
【００１６】
請求項３の発明に係る室内装飾材によると、例えばパネル基材として木製ボード等を使用する場合であっても内装材用加飾パーツを張った際に継ぎ目の段差が生ずることがなく、壁板に内装材用加飾パーツを直接貼った際でも壁板の凹凸に加飾和紙シート表面に表れることがない。すなわち、加飾和紙シートの仕上げ状態が粗悪になるのを防止するために必要な作業や高度な技能をが不要となり多くの時間と労力を費やす必要がなく、簡単に室内装飾できる。
【００１７】
また、室内装飾材を、例えば壁面や胴縁材等に釘やビスなどで固定するに際し、釘の回りのボードの表面に凹凸が形成されたとしても、これらの凹凸部分を加飾和紙シートで覆い隠蔽することができるため、その仕上げ状態が粗悪になることを防止できる。
【００１８】
請求項４の発明に係る内装材用加飾パーツによると、互いに隣接する内装材用加飾パーツのフランジ部分を、互いに対峙する支持材の端縁間が当接または密接するように配置され、そして、加飾和紙シートの重ね合せ部を接着剤で接着する工程を繰り返すことによって、複数の内装材用加飾パーツを縦横に貼りつなぐことができる。すなわち、例えばベニヤ板製のパネル基材等に、内装材用加飾パーツを張った際に、仮に内装材用加飾パーツの支持材間の継ぎ目に段差が生じたとしても継ぎ目段差を目隠しでき、パネル基材の表面に内装材用加飾パーツを滑らかに貼りつなぐことができる。
【００１９】
請求項５の発明に係る内装材用加飾パーツによると、裏面側全面に水溶性糊材が備えてあるから、内装材用加飾パーツの裏面を水で濡らすことによって、裏面全面に水溶性糊材の接着能を獲得させることができるため、パネル基材全面に簡単に貼り合わせできる。さらにまた、加飾和紙シートのフランジ部分を水で濡らすと、当該フランジ部分に水溶性糊材を浸潤させ水溶性糊材の接着能を獲得させることができるため、加飾和紙シートの重ね合せ部を水溶性糊材を浸潤させることができ、簡単に貼り合わせできる。逆に、内装材用加飾パーツの加飾和紙シートを水で濡らすことによって、加飾和紙シートを簡単に剥離できるから、汚れたり破損しても、汚れ部分や破損部分のみを簡単かつ容易に貼り替えもしくは取り替えでき、綺麗に修復することができる。
【００２０】
請求項６の発明によると、請求項４または５の発明に係る内装材用加飾パーツで得られる作用効果に加えて、内装材用加飾パーツ間の貼りあわせ位置を綺麗な直線として形成でき、和紙の風合いを持ちかつタイル貼りしたような意匠感を良好に保持できる。
【発明を実施するための最良の形態】
【００２１】
本発明に係る上記加飾和紙シートは、手漉き和紙 、機械漉き和紙 、洋紙、印刷された紙、さらには、その他の不織布等、任意の素材を任意の大きさに形成することができるが、保管性、運搬性、施工性等の点からある程度の広さに形成された方がよい。なお、加飾和紙シート表面が生漆処理や柿渋処理されていると加飾和紙シート全体が堅くなり好ましく、とりわけ、生漆処理されていると皮革のような風合いになるからより好適である。
【００２２】
上記接着剤は、例えば、天然糊等の接着剤、またはポリビニールアルコール（ＰＶＡ）等の合成接着剤、またはその他種々の接着剤等でもよく、切手糊の如く、水に濡らすことで簡単に接着できるものが好ましい。
【００２３】
上記支持材プレートの寸法形状は任意に設計できる。施工性等の観点からは、パネル基材の表面に隙間なく敷き詰めできる多角形（例えば三角形、または方形、または五角、または六角、または八角形等）であってある程度の広さに形成された方が、保管、管理等もしやすいから好ましい。なお、上記支持材プレートの原材を限定するものではなく、より具体的には、例えば、厚紙やダンボール、またはベニヤ板などの木質ボード、または発泡スチロール板等に代表される合成樹脂ボード、または石膏ボード、またはスレート板、または活性炭やホタテ貝殻パウダーなどを含む調湿性パネル等が例示でき、必要に応じて、裏打ち紙（剥離紙）を貼付することができるものとする。なお、支持材プレートの寸法形状が同一であるものの使用にのみ限定されるのではなく、パネル基材の表面に隙間なく敷き詰めできれば、支持材プレートの寸法形状の異なる例えば三角形と六角形を組合せする等、自在に設計変更できるものとする。
【００２４】
上記パネル基材もまたその原材を限定するものではなく、例えば、厚紙やダンボールなどの紙類、またはベニヤ板などの木質ボード（壁面や押入れ床面等を含む）、または石膏ボードやスレート板（壁面や床面、天井面等を含む）など、またはコンクリート壁等等を例示することができる。
【００２５】
なお、色彩や表面処理法などを異にする加飾和紙シートの複数を組合せ、例えば、千鳥状に配設したりその他の種々の構成にできること無論である。また、例えば、パネル基材としてベニヤ板を用い、ベニヤ板の表面に内装材用加飾パーツを貼りつないで室内装飾材を形成し、施工現場においてこれを胴縁材等に後付け固定するなど、その施工方法を限定するものでもない。
【実施例】
【００２６】
図１は実施例１の室内装飾材１０を説明するために模式的に示す上方斜視図である。図２は本発明となる内装材用加飾パーツ５を説明するために示す上方斜視図、図３は同内装材用加飾パーツ５の断面図であり、図４乃至図６は上記室内装飾材１０の形成方法を説明するために模式的に示す上方斜視図である。ただし、図２乃至図６において、支持材プレートは機械漉き和紙製で矩形状に裁断されたものであるが、理解を容易にするため、その厚さなどは誇張して図示されている。
【００２７】
図１において、この室内装飾材１０は、図示されていないパネル基材の上面に、後述する内装材用加飾パーツ５の複数が互いに隣接する支持材プレートの端縁の間を当接または密接するように配置され、加飾和紙シートの重ね合わせ部を接着剤で接合する工程を繰り返すことによって、パネル基材の上面に内装材用加飾パーツを複数を貼りつないで形成されたものである。
【００２８】
上記内装材用加飾パーツ５は、図２乃至３に示すように、一辺３０ｃｍの矩形状に形成された機械漉き和紙製の支持材プレート１と、該支持材プレート１の上面に接着された矩形状の手漉きの加飾和紙シート３と、前記支持材プレートの下面全面に塗布された図示しない接着剤とから構成されているものであり、加飾和紙シート３は、支持材プレート１の各辺より巾３〜１０ｍｍ程度外方にはみ出すフランジ部分３ａが備えられている。
【００２９】
以下、この内装材用加飾パーツ５を貼りつないでなる室内装飾材１０の形成方法について、図４乃至図６を参照しながら、より詳しく説明する。
【００３０】
図において、内装材用加飾パーツ１Ａの加飾和紙シート１１に備えたフランジ部分１１ａを、該内装材用加飾パーツ１Ａと左右で対峙する内装材用加飾パーツ１Ｂの支持材プレート１２の下方に配置するとともに、互いに対峙する加飾パーツ１Ａ、１Ｂの各支持材プレート１２の端縁の間を当接または密接するように配置し、そして、内装材用加飾パーツ１Ａの加飾和紙シート１１の上面に、内装材用加飾パーツ１Ｂの加飾和紙シート１１のフランジ部分１２ａを配置してこの重ね合わせ部分を接着剤にて接合する。この工程を繰り返すことによって、内装材用加飾パーツ１Ａ、１Ｂ，１Ｃ，１Ｄ，・・・を長尺の帯状に貼りつなぐ（図４参照）。
【００３１】
つぎに、内装材用加飾パーツ１Ａと上下で対峙する内装材用加飾パーツ１Ａ，２Ａの各支持材プレート１２の端縁の間を当接または密接するように配置し、内装材用加飾パーツ１Ａの加飾和紙シート１１の上面に、内装材用加飾パーツ２Ａの加飾和紙シート１１のフランジ部分１１ｃを重ね合わせる、この重ね合わせ部分を接着剤にて接合する（図４参照）。
【００３２】
さらに、内装材用加飾パーツ２Ａと左右でそして、内装材用加飾パーツ１Ｂと上下で対峙する内装材用加飾パーツ２Ｂの各支持材プレート１２の端縁の間を当接または密接するとともに、内装材用加飾パーツ１Ｂの加飾和紙シート１１と、内装材用加飾パーツ２Ａの加飾和紙シート１１の両上面に、内装材用加飾パーツ２Ｂの加飾和紙シート１１のフランジ部分１１ａ，１１ｃを重ね合わせる、この重ね合わせ部分を接着剤にて接合する工程を繰り返すことによって、内装材用加飾パーツ２Ａ、２Ｂ，２Ｃ，２Ｄ，・・・を長尺の帯状に貼りつなぎ、内装材用加飾パーツ１Ａ、１Ｂ，１Ｃ，１Ｄ・・・からなる部分に、内装材用加飾パーツ２Ａ、２Ｂ，２Ｃ，・・・を貼りつなぐ（図４ないし図６を参照）。これらの過程を繰り返すと、目的とする室内装飾材１０が形成できる（図６参照）。
【００３３】
つぎに、図７（ａ）は、実施例２の室内装飾材５０を形成する内装材用加飾パーツ５５を説明するために模式的に示す断面図、図７（ｂ）は同内装材用加飾パーツ５５の貼り合わせ方法を説明するために模式的に示す断面図である。
【００３４】
図において、この室内装飾材５０を形成するための内装材用加飾パーツ５５は、厚さ８ｍｍの矩形に形成されたベニア板製の支持材プレート５１と、該支持材プレート５１の上面に接着剤５４にて接着された矩形状の加飾和紙シート５２とから構成されているものである。加飾和紙シート５２は、支持材プレート５２各辺より巾３〜１０ｍｍ程度外方にはみ出すフランジ部分５２ａ，５２ｂが備えられており、そして、接着剤５４は支持材プレート５２各辺より内方に巾３〜１０ｍｍ程度控えて塗布されている。
【００３５】
つぎに、内装材用加飾パーツ５５を使用して、壁面に室内装飾材５０を形成する一方法を簡単に説明する。
【００３６】
先ず、加飾和紙シート５２の中央部分をカッターなどで例えば舌状に切り剥がし、露出する支持材プレート５１を介し、ビスなどの留め具を用いてパネル基材（図示されていない）の上面に仮固定または本固定する。ついで、新たな固定内装材用加飾パーツ５５を、支持材プレート５１，５１の端縁間が当接または密接するように配置するとともに、内装材用加飾パーツ５５の中央部を舌状に切り剥がしてビスなどで仮固定または固定し、前記支持材プレート５１から、加飾和紙シート５２のフランジ部分５２ｂを部分剥離することによって支持材プレート５１と加飾和紙シート５２の間に隙間を形成するとともに、新たに貼りつなぐ内装材用加飾パーツ５５の支持材プレート５１の端縁を当接または密接させ、前記隙間に加飾和紙シート５２のフランジ部分５２ａを挿入して、重ね合わせたまま接合する。
【００３７】
この工程を繰り返すことによって、内装材用加飾パーツ５５を左右方向の長尺帯状に貼りつなぎ、さらに、実施例１にて述べたように、左右の延びる長尺の帯状に形成された内装材用加飾パーツ５５複数の上方に、上記と同様の方法で、内装材用加飾パーツ５５を長尺の帯状に形成する過程を繰り返すと、内装材用加飾パーツ５５を縦横に連続させた室内装飾材５０が形成できる。
【００３８】
実施例２の室内装飾材５０によると、和紙の風合いを持ちかつタイル貼りしたような意匠感を良好に保持できるようになる。
【００３９】
つぎに、図８（ａ）は実施例３となる他の内装材用加飾パーツ６５を説明するため模式的に示す断面図、図８（ｂ）は同内装材用加飾パーツ６５の貼り合わせ方法を説明するために模式的に示す断面図である。
【００４０】
この内装材用加飾パーツ６５は、実質的には、実施例２の加飾和紙シート５１のうち連続する二辺のフランジ部分５１ｂ，５１ｄを切り取ったものに相当するものである。
【００４１】
加飾和紙シート６１の中央部分をカッターなどで例えば舌状に切り剥がし、露出する支持材プレート６２を介し、ビスなどの留め具を用いてパネル基材（図示されていない）の上面に仮固定または本固定される。ついで、固定内装材用加飾パーツ６５の支持材プレート６２と、新たな内装材用加飾パーツ６５’の支持材プレート６２’の両端縁間が互いに当接または密接するように配置するとともに、内装材用加飾パーツ６５’の中央部を舌状に切り剥がしてビスなどで仮固定または固定し、前記支持材プレート６２から加飾和紙シート６１を部分剥離することによって加飾和紙シート６１と支持材プレート６２との間に隙間を形成し、この隙間に加飾和紙シート６１’のフランジ部分６１’ａを挿入して重ね合わせ、接合する。
【００４２】
この工程を繰り返すことによって、内装材用加飾パーツ６５を左右方向の長尺帯状に貼りつなぎ、ついで、左右の延びる長尺の帯状に形成された内装材用加飾パーツ６５複数の上方に、実施例１にて述べた方法に準じて、内装材用加飾パーツ６５を長尺の帯状に形成する過程を繰り返すと、内装材用加飾パーツ６５の複数を縦横に連続させた室内装飾材６０が形成できる。
【００４３】
なお、基材プレートに実施例２の内装材用加飾パーツ５５を仮固定または固定したその後に、連続する二辺のフランジ部分５２ａを切り取って、実施例３の内装材用加飾パーツ６５を形成し、上記の手順に従って、その複数を縦横に連続させてなる室内装飾材６０を形成するようにしても構わない。
【００４４】
実施例３の室内装飾材６０によると、内装材用加飾パーツ間の貼りあわせ位置を綺麗な直線状に形成でき、和紙の風合いを持ちかつタイル貼りしたような意匠感を良好に保持できるようになる。
【００４５】
また、実施例２，３の室内装飾材５０、６０もまた、内装材用加飾パーツの加飾和紙シートを水で濡らすことによって、加飾和紙シートは単に剥離できるから、汚れたり破損しても、汚れ部分や破損部分のみを簡単かつ容易に貼り替えもしくは取り替えでき、綺麗に修復することができる。
【００４６】
以上、本発明を実施例１乃至３に基づいて説明したが、これら実施例はその代表的なものを例示したに過ぎず、例えば、実施例１の内装材用加飾パーツ１１を使用する場合、加飾和紙シートを水で濡らすと簡単に剥がすことができるため、部分的に剥がして隙間を形成する。ついで、この隙間に、対峙する加飾和紙シートのフランジ部分を挿入、重ね合わせておくと、フランジ部分は水溶性糊材が浸潤して接着能を有してために簡単に貼り合わせできるから、内装材用加飾パーツを縦横に貼りつなぐことができるなど、本発明の要旨を越えない範囲で様々に設計変形することが可能であるものとする。
【図面の簡単な説明】
【００４７】
【図１】図１は本発明となる室内装飾材を説明するために模式的に示す上方斜視図である。
【図２】図２は本発明となる内装材用加飾パーツを説明するために示す上方斜視図である支持材プレートは矩形状に裁断された和紙であるが、理解を容易にするため、その厚さは誇張して図示されている（図３乃至８においても同様である。）。
【図３】図３は同内装材用加飾パーツの断面図である。
【図４】図４は同室内装飾材の形成方法を説明するために模式的に示す斜視図である。
【図５】図５は同室内装飾材の形成方法を説明するために模式的に示す斜視図である。
【図６】図６は室内装飾材の形成方法により形成された室内装飾材を模式的に示す斜視図である。
【図７】図７（ａ）は他の室内装飾材を形成するために使用される内装材用加飾パーツを説明するため模式的に示す断面図であり、図７（ｂ）は同内装材用加飾パーツの貼り合わせ方法を説明するために模式的に示す断面図である。
【図８】図８（ａ）もまた他の内装材用加飾パーツを説明するため模式的に示す断面図であり、図８（ｂ）は同内装材用加飾パーツの貼り合わせ方法を説明するために模式的に示す断面図である。
【符号の説明】
【００４８】
１        支持材プレート
１ａ      端縁
１ｂ      端縁
３        加飾和紙シート
３ａ      フランジ部分
５        内装材用加飾パーツ
１０        室内装飾材
１Ａ，１Ｂ，１Ｃ，１Ｄ,・・・  内装材用加飾パーツ
２Ａ，２Ｂ，２Ｃ，２Ｄ,・・・  内装材用加飾パーツ
１１        加飾和紙シート
１１ａ      フランジ部分
１１ｂ      フランジ部分
１１ｃ      フランジ部分
１１ｄ      フランジ部分
１２        支持材プレート
５０        室内装飾材
５１        加飾和紙シート
５１ａ      フランジ部分
５１ｂ      フランジ部分
５２        支持材プレート
５４        接着剤
５５        内装材用加飾パーツ
６０        室内装飾材
６１        加飾和紙シート
６１’      加飾和紙シート
６１’ａ    フランジ部分
６２        支持材プレート
６２’      支持材プレート
６４        接着剤
６４’      接着剤
６５        内装材用加飾パーツ
６５’      内装材用加飾パーツ
【図１】
2007261003.tif 000003
【図２】
2007261003.tif 000004
【図３】
2007261003.tif 000005
【図４】
2007261003.tif 000006
【図５】
2007261003.tif 000007
【図６】
2007261003.tif 000008
【図７】
2007261003.tif 000009
【図８】
2007261003.tif 000010